(57)【要約】【課題】どのような形状に切断した場合にも、簡単かつ確実に釘止め可能な半端瓦を得ることができる半端瓦作成用瓦を提供する。【解決手段】瓦本体１の裏面に未貫通の緊結部材挿通穴５を分散配置した半端瓦作成用瓦である。緊結部材挿通穴５を、瓦を葺いた際に野地板側に露出する部分の少なくとも四隅を含む領域に形成した。この瓦を大棟の棟下、隅棟の棟下、谷部の形状に合わせて切断して半端瓦６とし、瓦本体１の表面側から緊結部材挿通穴５に釘、ネジ等の緊結部材を打ち込んで留め付けることができる。【選択図】図１
2013224571.tif 000002
【特許請求の範囲】
【請求項１】
瓦本体の裏面に未貫通の緊結部材挿通穴を設けた瓦であって、前記緊結部材挿通穴は、瓦を葺いた際に野地板側に露出する部分の少なくとも四隅を含む領域に形成されていることを特徴とする半端瓦作成用瓦。
【請求項２】
前記緊結部材挿通穴のうち、右上端側と右下端側の緊結部材挿通穴の間、及び左上端側と左下端側の緊結部材挿通穴の間に、それぞれ少なくとも１つの緊結部材挿通穴を設けたことを特徴とする請求項１に記載の半端瓦作成用瓦。
【請求項３】
前記緊結部材挿通穴が、瓦本体の上下方向に伸びる長穴であることを特徴とする請求項１に記載の半端瓦作成用瓦。
【請求項４】
前記長穴の底部に、緊結部材挿通穴の未貫通の部分を穿設する際の目安となる小穴を設けたことを特徴とする請求項３に記載の半端瓦作成用瓦。
【請求項５】
緊結部材挿通穴が、釘穴、ねじ穴、銅線挿通穴の何れかであることを特徴とする請求項１に記載の半端瓦作成用瓦。
【発明の詳細な説明】
【技術分野】
【０００１】
本発明は、瓦葺き屋根に使用される半端瓦（勝手瓦）を作成するための半端瓦作成用瓦に関するものである。
【背景技術】
【０００２】
一般的な瓦葺き屋根は、桟瓦を一定のピッチで野地板上に配置し、瓦釘又はビス・ねじで桟木に固定する工法によって施工されている。通常、屋根の寸法は瓦の大きさ（働き寸法）に基づいて設計されており、屋根の平部については桟瓦をそのまま使用することができる。しかし、大棟の直下部分については桟瓦をそのまま使用することはできず、桟瓦の上半分を切断した半端瓦を棟瓦の下に差し込んで葺土により固定する工法が用いられている。また、入母屋や寄棟の屋根には斜め方向に走る隅棟や谷部が存在するが、これらの部分には桟瓦を斜め方向に切断した半端瓦が必要となる。
【０００３】
このような半端瓦は、施工現場において瓦職人が桟瓦を瓦用ハンマーを用いて割ったり電動カッターで切断することによって作成されるのが普通であるが、その大きさや形状は個々の屋根によってさまざまである。桟瓦の上端付近には予め釘穴が設けられているが、施工現場において作成される半端瓦の形状によってはこの釘穴が含まれない形状となることが多い。屋根の施工ガイドラインでは、耐震対策として半端瓦にも釘穴を開けて桟木に固定することを推奨している。しかし、釘穴のない半端瓦に施工現場において新たに釘穴を開けることは必ずしも容易ではない。
【０００４】
一般に、釘穴は瓦用金槌や電動ドリルを用いて穿設されるが、瓦用金槌で硬い瓦に釘穴をあけるには多くの時間と手間がかかる。また、電動ドリルでは必要枚数を穿設する前に高価な電動ドリルの先端が焼け付いてしまい、コストが嵩むこととなる。そのため、従来は半端瓦に単に銅線を巻いて吊るしたり、隣接する桟瓦と接着剤で固定したり、上記のように単に葺土で埋めて固定する工法が採られていた。その結果、地震の際に銅線がはずれたり接着剤が切れたりして半端瓦がずれてしまい、屋根瓦を崩落させる危険があった。特に昨年の東日本大震災の際には、瓦釘で固定されていない半端瓦がずれることが原因となって、新築の家屋においても棟瓦が崩落する事例が多発した。
【０００５】
なお特許文献１には、瓦本体の長手方向の中心線に沿って未貫通の釘穴を形成しておき、中心線で半分に切断して半端瓦として使用できるようにした平板瓦が記載されている。この瓦は漏水防止用の水返しが形成されていないため、瓦の重ね代が多くなる。そのため、半端瓦であっても前記中心線沿いの釘穴を利用して桟木に固定することができる。しかし、近年の瓦は水返しを備えたものが多く、重ね代の幅も様々である。そのため、前記中心線沿いに釘穴を形成しただけでは全ての半端瓦を固定することはできないという問題があった。特に斜め方向に切断して半端瓦とする場合には、中心線付近の釘穴は利用できない場合が多くなるという問題があった。
【先行技術文献】
【特許文献】
【０００６】
【特許文献１】特開平８−４９３６１号公報
【発明の概要】
【発明が解決しようとする課題】
【０００７】
従って本発明の目的は前記した従来の問題点を解決し、どのような形状に切断した場合にも、簡単かつ確実に釘やビスなどによって緊結可能な半端瓦を得ることができる半端瓦作成用瓦を提供することである。
【課題を解決するための手段】
【０００８】
上記の課題を解決するためになされた本発明は、瓦本体の裏面に未貫通の緊結部材挿通穴を設けた瓦であって、前記緊結部材挿通穴は、瓦を葺いた際に野地板側に露出する部分の少なくとも四隅を含む領域に形成されていることを特徴とするものである。また、前記緊結部材挿通穴のうち、右上端側の緊結部材挿通穴と右下端側の緊結部材挿通穴との間、及び左上端側の緊結部材挿通穴と左下端側の緊結部材挿通穴との間に、それぞれ少なくとも１つの緊結部材挿通穴を設けることが好ましい。また、前記緊結部材挿通穴を、瓦本体の上下方向に延びる長穴とすることもできる。この場合には、さらに長穴の底部に、緊結部材挿通穴の未貫通部分を穿設する際の目安となる小穴を設けてもよい。なお緊結部材挿通穴は、釘穴、ねじ穴、銅線挿通穴の何れかであることが好ましい。
【発明の効果】
【０００９】
本発明の半端瓦作成用瓦は、瓦を葺いた際に野地板側に露出する部分、すなわち隣接する瓦の上側に重ならない部分の少なくとも四隅を含む領域に未貫通の緊結部材挿通穴を形成したものである。このため、縦横方向、斜め方向のいずれの方向・大きさに切断して半端瓦とした場合にも、半端瓦に少なくとも緊結部材挿通穴を残すことができる。この未貫通の緊結部材挿通穴は未貫通の部分を穿孔するだけで容易に貫通させて緊結部材挿通穴として使用できるので、得られた半端瓦を瓦釘又はビス・ねじ、銅線等の緊結部材で固定することが可能となる。また、これらの未貫通の緊結部材挿通穴は瓦本体の裏面側に形成されているので、葺設後の屋根全体の外観を損なうことがない。さらにこれらの緊結部材挿通穴は、瓦を葺いた際に野地板側に露出する部分、すなわち隣接する瓦の上側に重ならない部分に形成されているので、野地板との間に他の瓦が存在することがなく、釘やねじを野地板に打ち込んだりねじ込んだりすることができる。
【００１０】
また前記した未貫通の緊結部材挿通穴のうち、右上端側の緊結部材挿通穴と右下端側の緊結部材挿通穴との間及び左上端側の緊結部材挿通穴と左下端側の緊結部材挿通穴との間にも同様の緊結部材挿通穴を設けることにより、適切な位置の緊結部材挿通穴を選んで固定することが可能となる。また、半端瓦の大きさや葺設位置に応じて複数箇所を固定することもできる。また、前記した未貫通の緊結部材挿通穴を瓦本体の上下方向に延びる長穴とすれば、最適な位置に貫通孔を形成することができる。さらに半端瓦作成用瓦をプレス成型する際に金型から離型し易くなる。
【図面の簡単な説明】
【００１１】
【図１】本発明の第１の実施形態の半端瓦作成用瓦を示す平面図と底面図である。
【図２】図１の半端瓦作成用瓦の正面図である。
【図３】大棟の棟下に葺設された半端瓦の説明図である。
【図４】図３の半端瓦の平面図と底面図である。
【図５】隅棟の棟下に葺設された半端瓦の説明図である。
【図６】隅棟の左側に用いられる半端瓦の平面図と底面図である。
【図７】隅棟の右側に用いられる半端瓦の平面図と底面図である
【図８】谷部に葺設された半端瓦の説明図である。
【図９】谷部の左側に用いられる半端瓦の平面図と底面図である。
【図１０】谷部の右側に用いられる半端瓦の平面図と底面図である
【図１１】第２の実施形態の半端瓦作成用瓦を示す平面図と底面図である。
【図１２】第３の実施形態の半端瓦作成用瓦を示す平面図と底面図である。
【図１３】図１２の半端瓦作成用瓦の正面図である。
【図１４】第４の実施形態の半端瓦作成用瓦を示す平面図と底面図である。
【図１５】第５の実施形態の半端瓦作成用瓦を示す平面図と底面図である。
【図１６】図１５の半端瓦作成用瓦の正面図である。
【図１７】第６の実施形態の半端瓦作成用瓦を示す平面図と底面図である。
【図１８】第７の実施形態の半端瓦作成用瓦を示す平面図と底面図である。
【図１９】第８の実施形態の半端瓦作成用瓦を示す平面図と底面図である。
【図２０】第９の実施形態の半端瓦作成用瓦を示す平面図と底面図である。
【発明を実施するための形態】
【００１２】
以下に本発明の好ましい実施形態を示す。
図１は本発明の第１の実施形態の半端瓦作成用瓦を示す図であり、瓦本体１はＪ形桟瓦の形状となっている。２は瓦本体１の上部に形成されて瓦本体１を桟木に引っ掛け保持するための尻剣（引っ掛け爪）、３は瓦本体１の角部に形成された切り込み、４は従来と同様の貫通した釘穴である。尻剣２、切り込み３、貫通した釘穴４は、従来の桟瓦のものと同様である。
【００１３】
図１中に二点鎖線で示した線よりも外側は、瓦を葺いた状態において隣接する瓦が下側に差し込まれる領域であり、二点鎖線で示した線よりも内側は瓦を葺いた際に野地板側に露出する部分、すなわち隣接する瓦の上側に重ならない部分である。本発明では瓦本体１の野地板側に露出する部分の少なくとも四隅を含む領域に、未貫通の緊結部材挿通穴５が形成されている。この実施形態では、四隅に加え、右上端側の緊結部材挿通穴５と右下端側の緊結部材挿通穴５との間及び左上端側の緊結部材挿通穴５と左下端側の緊結部材挿通穴５との間にも、適宜の間隔で緊結部材挿通穴５が配置されている。これらの左右の緊結部材挿通穴５は上下方向に半ピッチずらしてあるが、同一高さに配置してもよい。
【００１４】
図１、図２に示すように、各緊結部材挿通穴５は裏面側に形成され表面側には表れない未貫通の隠し穴となっているので、葺設後の外観は平部の桟瓦とほとんど変わらず美観を損なうことがない。また緊結部材挿通穴５から雨水が浸入することもない。しかし緊結部材挿通穴５の部分の瓦の厚みは他の部分よりも薄くなっているので、瓦用金槌のような従来の工具でも短時間で貫通孔を穿設することができる。なお、貫通孔を形成することなく、瓦釘を直接緊結部材挿通穴５に打ち込むことも可能である。緊結部材挿通穴５は裏面側が拡径したテーパ状をなしており、プレス金型にテーパ状突起を設けることにより容易に成形することができる。テーパ角は離型性を考慮して適宜設定すればよい。
【００１５】
このように、瓦を葺いた際に野地板側に露出する部分の少なくとも四隅を含む領域に緊結部材挿通穴５を形成しておけば、半端瓦作成用瓦をどの角度・大きさで切断しても緊結部材挿通穴５が１つ以上含まれる半端瓦とすることができる。本実施形態では、裏面側から見たときに緊結部材挿通穴５が右側に５つ、左側に４つ配置されているが、緊結部材挿通穴５の個数は適宜変更可能である。
【００１６】
このような半端瓦作成用瓦は、大棟の棟下や隅棟の棟下、谷部の形状に合わせて横方向や斜め方向に切断されて用いられる。以下にその具体例を説明する。
【００１７】
図３は大棟の説明図であり、棟下には半端瓦６ａが必要となる。この場合には図４に示すように瓦本体１を上下に切断し、半端瓦６ａを作成する。なお切断線７ａの位置が割り付けによって上下方向に変化しても、得られた半端瓦６ａは必ず一つ以上の未貫通の緊結部材挿通穴５を含むので、最適位置の緊結部材挿通穴５に貫通孔を加工し、瓦釘又はビス・ねじ、銅線等の緊結部材で半端瓦６を固定することが可能となる。
【００１８】
図５は隅棟の説明図である。斜めに延びる隅棟の棟下には、三角形の半端瓦６ｂが必要となる。隅棟の左側の場合には図６に示すように瓦本体１を斜め方向の切断線７ｂに沿って切断し、半端瓦６ｂを作成する。また、この隅棟の右側の場合には、図７に示すように、瓦本体１を逆の斜め方向の切断線７ｃに沿って切断し、半端瓦６ｃを作成する。この場合にも、切断線７ｂ、７ｃの位置が割り付けによって変化しても、得られた半端瓦６ｂ、６ｃは必ず未貫通の緊結部材挿通穴５を含むので、適切な位置の緊結部材挿通穴５に貫通孔を加工し、半端瓦６を固定することが可能となる。
【００１９】
図８は谷部の説明図である。斜めに延びる谷部には、三角形の半端瓦６ｄ、６ｅが必要となる。左側の場合には、図９に示すように瓦本体１を斜め方向の切断線７ｄに沿って切断し、半端瓦６ｄを作成する。また右側の場合には、図１０に示すように瓦本体１を斜め方向の切断線７ｅに沿って切断し、半端瓦６ｅを作成する。この場合にも、得られた半端瓦６ｄ、６ｅは必ず未貫通の緊結部材挿通穴５を含むので、適切な位置の緊結部材挿通穴５に貫通孔を加工し、半端瓦６を固定することが可能となる。
【００２０】
第１の実施形態では、瓦を葺いた際に野地板側に露出する部分の左右に緊結部材挿通穴５を配置したが、図１１に示す第２の実施形態のように、瓦本体１の全面に設けることも可能である。但し、水の流れ道となる中央部分は避けることが好ましい。
【００２１】
また図１２〜図１６に示すように、緊結部材挿通穴５を長穴としてもよい。この場合には、貫通位置を予め想定した上記の実施形態に比べて、貫通位置を自由に設定できる。そのため、実際の棟の強度や緊結状態に合わせて固定することができる。また穴の形状を長穴とすることにより、プレス金型からの離型性も向上する。
【００２２】
図１２及び図１３に示す第３の実施形態では、瓦を葺いた際に野地板側に露出する部分の左右両側に上下方向に延びる長穴を形成した。長穴の断面は半円状であるがこれに限定されるものではなく、第１及び第２の実施形態に代表されるようなテーパ状であっても差支えない。また、図１４に示す第４の実施形態では、長穴を瓦本体の上側端面まで延長した。さらに図１５及び図１６に示す第５の実施形態では、長穴の底部に小穴１０を適宜の間隔で設けた。小穴１０は未貫通部分を穿設する際の目安となるとともに、電動ドリルなどの穿設工具の先端を安定させることができるので、より簡単に貫通孔を形成することが可能となる。
【００２３】
このように長穴も、第１・第２の実施形態と同様に、二点鎖線で示した線よりも内側の部分、すなわち瓦を葺いた際に野地板側に露出する部分に形成されている。そのため、半端瓦作成用瓦をどの角度・大きさで切断しても長穴の一部が含まれる半端瓦とすることができる。
【００２４】
また図１７以下に示すように、本発明は平板瓦にも適用することができる。
図１７に示す第６の実施形態では、瓦を葺いた際に野地板側に露出する部分の左右に緊結部材挿通穴５を配置した。また図１８に示す第７の実施形態では、中央部にも緊結部材挿通穴５を配置した。
【００２５】
また、図１９及び図２０に示すように、平板瓦の緊結部材挿通穴５を長穴とすることもできる。図１９に示す第８の実施形態では、瓦を葺いた際に野地板側に露出する部分の左右両側に上下方向に延びる長穴を形成した。また図２０に示す第９の実施形態では、長穴の底部に小穴１０を適宜の間隔で設けた。
【００２６】
以上に説明したように、本発明の半端瓦作成用瓦は、瓦本体１の裏面に未貫通の緊結部材挿通穴５を形成し、しかもその緊結部材挿通穴５は瓦を葺いた際に野地板側に露出する部分の少なくとも四隅を含む領域に形成されているので、切断角度や大きさに左右されることなく、必ず緊結部材挿通穴５を含む半端瓦を得ることができ、半端瓦を確実に屋根材に固定することができる。なお、上記の実施形態では瓦本体１の形状をＪ形桟瓦及び平板瓦としたが、様々なタイプの瓦にも適用できる。また、図３に示す袖瓦８や図８に示す軒瓦９のような役瓦などについても、図中に示した半端瓦８ａや９ｄ、９ｅが必要となるので、本発明を同様に適用することができる。
【符号の説明】
【００２７】
１  瓦本体
２  尻剣
３  切り込み
４  緊結部材挿通穴
５  緊結部材挿通穴
６  半端瓦
７  切断線
８  袖瓦
８ａ  半端瓦
９  軒瓦
９ｄ，９ｅ  半端瓦
１０  小穴
【図１】
2013224571.tif 000003
【図２】
2013224571.tif 000004
【図３】
2013224571.tif 000005
【図４】
2013224571.tif 000006
【図５】
2013224571.tif 000007
【図６】
2013224571.tif 000008
【図７】
2013224571.tif 000009
【図８】
2013224571.tif 000010
【図９】
2013224571.tif 000011
【図１０】
2013224571.tif 000012
【図１１】
2013224571.tif 000013
【図１２】
2013224571.tif 000014
【図１３】
2013224571.tif 000015
【図１４】
2013224571.tif 000016
【図１５】
2013224571.tif 000017
【図１６】
2013224571.tif 000018
【図１７】
2013224571.tif 000019
【図１８】
2013224571.tif 000020
【図１９】
2013224571.tif 000021
【図２０】
2013224571.tif 000022